(57)【特許請求の範囲】
【請求項１】
本体を含み、前記本体は動力空間を含み、前記動力空間の中には本願発明に動力を提供できる動力機構が設置され、前記動力空間の内部頂端壁にはモータが固定的に設置され、前記モータの頂端面には第一回転軸が固定的に設置され、前記第一回転軸には羽根が固定的に設置され、前記モータの底端面には第二回転軸が固定的に設置され、前記動力空間の中には第一スライド溝が固定的に形成され、前記第一スライド溝の中には第一スライダがスライド可能に設置され、前記第一スライド溝の頂端壁と前記モータとの間には外接ブロックが設置され、前記外接ブロックの中には第一開口溝が固定的に形成され、
前記動力空間の底端壁の中には反応空間が設置され、前記反応空間の中には気体を生成できる反応機構が設置され、前記反応空間の左右端には仕切りブロックが固定的に設置され、前記仕切りブロックの内側には第二スライド溝が固定的に形成され、前記第二スライド溝の中には第二スライダがスライド可能に設置され、前記第二スライド溝の内側には前記第二スライダの内側端面と接触する二酸化マンガンブロックがスライド可能に設置され、前記二酸化マンガンブロックの内側には仕切りシートが固定的に設置され、前記仕切りシートは前記二酸化マンガンブロックが前記反応空間に入ることを防止でき、
前記反応空間の底端壁には貯蔵空間が固定的に設置され、前記貯蔵空間の中にはカウンターウエイトを収容できる貯蔵機構が設置され、需要に応じて前記貯蔵機構はカウンターウエイトを降ろすこともでき、前記貯蔵空間の左右端壁の底端には支持ブロックが固定的に設置され、前記支持ブロックの中には第三回転軸が回転可能に設置され、前記第三回転軸には前記貯蔵空間を塞げる協働板が固定的に設置されていることを特徴とするダイビング用素早く浮上可能な設備。
【請求項２】
前記動力機構は前記動力空間を含み、前記動力空間の内部頂端壁には前記モータが固定的に設置され、前記モータの頂端面には前記第一回転軸が固定的に設置され、前記第一回転軸には前記羽根が固定的に設置され、前記モータの底端面には前記第二回転軸が固定的に設置され、前記第二回転軸の底端壁には第三スライド溝が固定的に形成され、前記第三スライド溝の頂端には電磁石が固定的に設置されていることを特徴とする請求項１に記載のダイビング用素早く浮上可能な設備。
【請求項３】
前記動力空間の底端壁には上下方向に延在する第四回転軸が回転可能に設置され、前記第四回転軸には第四スライド溝が固定的に形成され、前記第四スライド溝の中には第一コンロッドがスライド可能に設置され、前記第一コンロッドは前記第三スライド溝の中に入ることができ、前記第一コンロッドと前記第四スライド溝の底端面とは第一ばねによって連結され、前記動力空間の中に位置している前記第四回転軸にはリールが固定的に設置されていることを特徴とする請求項２に記載のダイビング用素早く浮上可能な設備。
【請求項４】
前記動力空間の中には前記第一スライド溝が固定的に形成され、前記第一スライド溝の中には前記第一スライダがスライド可能に設置され、前記第一スライド溝の頂端壁と前記モータとの間には前記外接ブロックが設置され、前記外接ブロックの中には前記第一開口溝が固定的に形成され、前記第一開口溝の中には第五回転軸が回転可能に設置され、前記第五回転軸には転向輪が固定的に設置され、前記第一スライダと、前記リールと、前記転向輪とは第一糸によって連結されていることを特徴とする請求項３に記載のダイビング用素早く浮上可能な設備。
【請求項５】
前記反応機構は前記反応空間を含み、前記反応空間の左右端には前記仕切りブロックが固定的に設置され、前記仕切りブロックの内側には前記第二スライド溝が固定的に形成され、前記第二スライド溝の中には前記第二スライダがスライド可能に設置され、前記第二スライダと前記第二スライド溝の外端面とは第二ばねによって連結され、前記第二スライド溝の内側には前記第二スライダの内側端面と接触する前記二酸化マンガンブロックがスライド可能に設置されていることを特徴とする請求項３に記載のダイビング用素早く浮上可能な設備。
【請求項６】
前記二酸化マンガンブロックの内側には前記仕切りシートが固定的に設置され、前記仕切りシートは前記二酸化マンガンブロックが前記反応空間に入ることを防止でき、前記仕切りブロックの外側には第五スライド溝が固定的に形成され、前記第五スライド溝と前記第二スライド溝とは油圧管路によって連通され、前記第五スライド溝の中には第三スライダがスライド可能に設置され、前記第三スライダと前記第五スライド溝の内端面とは第三ばねによって連結され、前記反応空間の中には過酸化水素があり、前記反応空間の中に位置している前記第四回転軸には撹拌ブロックが固定的に設置され、前記撹拌ブロックの上側において前記第四回転軸には連通穴が固定的に設置され、前記第四回転軸の底端壁には前記連通穴が設置され、前記連通穴には第二開口溝が前記連通穴と連通になるように形成されていることを特徴とする請求項５に記載のダイビング用素早く浮上可能な設備。
【請求項７】
前記貯蔵機構は前記貯蔵空間を含み、前記貯蔵空間の左右端壁の底端には前記支持ブロックが固定的に設置され、前記支持ブロックの中には前記第三回転軸が回転可能に設置され、前記第三回転軸には前記貯蔵空間を塞げる前記協働板が固定的に設置されていることを特徴とする請求項６に記載のダイビング用素早く浮上可能な設備。
【請求項８】
前記貯蔵空間の左右端壁の底端にはスライドレールが固定的に設置され、前記スライドレールの底端には位置制限ブロックが固定的に設置され、前記協働板には前記スライドレールでスライドする弧状棒が固定的に設置され、前記弧状棒の頂端には協働ブロックが固定的に設置され、前記スライドレールの外側には経路選択穴が固定的に設置され、前記経路選択穴において前記協働ブロックと前記第一スライダとの間には第二糸が固定的に設置されていることを特徴とする請求項７に記載のダイビング用素早く浮上可能な設備。
【請求項９】
前記貯蔵空間の中にはカウンターウェイトブロックが設置され、前記貯蔵空間の頂端壁の中には圧縮エアバッグが固定的に設置され、前記圧縮エアバッグの底端面には引きブロックが固定的に設置され、前記引きブロックと前記カウンターウェイトブロックとは第三糸によって連結され、前記圧縮エアバッグの中には気体入れブロックが固定的に設置され、前記気体入れブロックの中には気体入れ空間が設置され、前記気体入れブロックの頂端と前記気体入れ空間とは気体入れ管路によって連通され、前記気体入れ管路は前記第二開口溝の中に伸びて前記連通穴を塞ぐことを特徴とする請求項８に記載のダイビング用素早く浮上可能な設備。
【発明の詳細な説明】
【技術分野】
【０００１】
本願発明はダイビング器材分野を取り上げて、具体的にはダイビング用素早く浮上可能な設備である。
【背景技術】
【０００２】
人間が段階的に海を探索する場合、適切な探索装置はダイビングに便利をもたらし、しかし、海が未知の領域であるため、探索家は常に海からの脅威にさらされている。従って、安全のために、海水の浮力を利用して素早く水面へ浮上できる設備が必要であり、このような設備は利用者が危険な目に遭う時や検出器を海底に運び終えた時に役が立つ。本願はダイビング用素早く浮上可能な設備を設計した。
【先行技術文献】
【特許文献】
【０００３】
【特許文献１】中国特許出願公開第１０４８７５８６５号明細書
【発明の概要】
【発明が解決しようとする課題】
【０００４】
本願発明はダイビング用素早く浮上可能な設備であり、海水の浮力を利用して素早く水面へ浮上でき、反応が機敏で、機能が豊富である。
【課題を解決するための手段】
【０００５】
本願発明は以下の技術プランを通じて実現する。
【０００６】
本願発明のダイビング用素早く浮上可能な設備は、本体を含み、前記本体は動力空間を含み、前記動力空間の中には本願発明に動力を提供できる動力機構が設置され、前記動力空間の内部頂端壁にはモータが固定的に設置され、前記モータの頂端面には第一回転軸が固定的に設置され、前記第一回転軸には羽根が固定的に設置され、前記モータの底端面には第二回転軸が固定的に設置され、前記動力空間の中には第一スライド溝が固定的に形成され、前記第一スライド溝の中には第一スライダがスライド可能に設置され、前記第一スライド溝の頂端壁と前記モータとの間には外接ブロックが設置され、前記外接ブロックの中には第一開口溝が固定的に形成され、
前記動力空間の底端壁の中には反応空間が設置され、前記反応空間の中には気体を生成できる反応機構が設置され、前記反応空間の左右端には仕切りブロックが固定的に設置され、前記仕切りブロックの内側には第二スライド溝が固定的に形成され、前記第二スライド溝の中には第二スライダがスライド可能に設置され、前記第二スライド溝の内側には前記第二スライダの内側端面と接触する二酸化マンガンブロックがスライド可能に設置され、前記二酸化マンガンブロックの内側には仕切りシートが固定的に設置され、前記仕切りシートは前記二酸化マンガンブロックが前記反応空間に入ることを防止でき、
前記反応空間の底端壁には貯蔵空間が固定的に設置され、前記貯蔵空間の中にはカウンターウエイトを収容できる貯蔵機構が設置され、需要に応じて前記貯蔵機構はカウンターウエイトを降ろすこともでき、前記貯蔵空間の左右端壁の底端には支持ブロックが固定的に設置され、前記支持ブロックの中には第三回転軸が回転可能に設置され、前記第三回転軸には前記貯蔵空間を塞げる協働板が固定的に設置されている。
【０００７】
さらに、前記動力機構は前記動力空間を含み、前記動力空間の内部頂端壁には前記モータが固定的に設置され、前記モータの頂端面には前記第一回転軸が固定的に設置され、前記第一回転軸には前記羽根が固定的に設置され、前記モータの底端面には前記第二回転軸が固定的に設置され、前記第二回転軸の底端壁には第三スライド溝が固定的に形成され、前記第三スライド溝の頂端には電磁石が固定的に設置されている。
【０００８】
さらに、前記動力空間の底端壁には上下方向に延在する第四回転軸が回転可能に設置され、前記第四回転軸には第四スライド溝が固定的に形成され、前記第四スライド溝の中には第一コンロッドがスライド可能に設置され、前記第一コンロッドは前記第三スライド溝の中に入ることができ、前記第一コンロッドと前記第四スライド溝の底端面とは第一ばねによって連結され、前記動力空間の中に位置している前記第四回転軸にはリールが固定的に設置されている。
【０００９】
さらに、前記動力空間の中には前記第一スライド溝が固定的に形成され、前記第一スライド溝の中には前記第一スライダがスライド可能に設置され、前記第一スライド溝の頂端壁と前記モータとの間には前記外接ブロックが設置され、前記外接ブロックの中には前記第一開口溝が固定的に形成され、前記第一開口溝の中には第五回転軸が回転可能に設置され、前記第五回転軸には転向輪が固定的に設置され、前記第一スライダと、前記リールと、前記転向輪とは第一糸によって連結されている。
【００１０】
さらに、前記反応機構は前記反応空間を含み、前記反応空間の左右端には前記仕切りブロックが固定的に設置され、前記仕切りブロックの内側には前記第二スライド溝が固定的に形成され、前記第二スライド溝の中には前記第二スライダがスライド可能に設置され、前記第二スライダと前記第二スライド溝の外端面とは第二ばねによって連結され、前記第二スライド溝の内側には前記第二スライダの内側端面と接触する前記二酸化マンガンブロックがスライド可能に設置されている。
【００１１】
さらに、前記二酸化マンガンブロックの内側には前記仕切りシートが固定的に設置され、前記仕切りシートは前記二酸化マンガンブロックが前記反応空間に入ることを防止でき、前記仕切りブロックの外側には第五スライド溝が固定的に形成され、前記第五スライド溝と前記第二スライド溝とは油圧管路によって連通され、前記第五スライド溝の中には第三スライダがスライド可能に設置され、前記第三スライダと前記第五スライド溝の内端面とは第三ばねによって連結され、前記反応空間の中には過酸化水素があり、前記反応空間の中に位置している前記第四回転軸には撹拌ブロックが固定的に設置され、前記撹拌ブロックの上側において前記第四回転軸には連通穴が固定的に設置され、前記第四回転軸の底端壁には前記連通穴が設置され、前記連通穴には第二開口溝が前記連通穴と連通になるように形成されている。
【００１２】
さらに、前記貯蔵機構は前記貯蔵空間を含み、前記貯蔵空間の左右端壁の底端には前記支持ブロックが固定的に設置され、前記支持ブロックの中には前記第三回転軸が回転可能に設置され、前記第三回転軸には前記貯蔵空間を塞げる前記協働板が固定的に設置されている。
【００１３】
さらに、前記貯蔵空間の左右端壁の底端にはスライドレールが固定的に設置され、前記スライドレールの底端には位置制限ブロックが固定的に設置され、前記協働板には前記スライドレールでスライドする弧状棒が固定的に設置され、前記弧状棒の頂端には協働ブロックが固定的に設置され、前記スライドレールの外側には経路選択穴が固定的に設置され、前記経路選択穴において前記協働ブロックと前記第一スライダとの間には第二糸が固定的に設置されている。
【００１４】
さらに、前記貯蔵空間の中にはカウンターウェイトブロックが設置され、前記貯蔵空間の頂端壁の中には圧縮エアバッグが固定的に設置され、前記圧縮エアバッグの底端面には引きブロックが固定的に設置され、前記引きブロックと前記カウンターウェイトブロックとは第三糸によって連結され、前記圧縮エアバッグの中には気体入れブロックが固定的に設置され、前記気体入れブロックの中には気体入れ空間が設置され、前記気体入れブロックの頂端と前記気体入れ空間とは気体入れ管路によって連通され、前記気体入れ管路は前記第二開口溝の中に伸びて前記連通穴を塞ぐ。
【発明の効果】
【００１５】
本願発明は過酸化水素と二酸化マンガンの混合により大量の酸素と水を生成し、緊急時にユーザーに緊急支援を提供できる。また、大量の気体が本願発明の中にあるエアバッグに入ってエアバッグを膨張させる。エアバッグと螺旋羽根との協働で本願発明を素早く水面へ浮上させ、そして本願発明の内部に貯蔵空間が設けられたため、カウンターウェイトや監視機器も搭載でき、それで機能が豊富になり、その他、本願発明は反応が機敏で、一体化度が高く、操作が簡単で安全である。
【図面の簡単な説明】
【００１６】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の構成模式図
【図２】図２は図１におけるＡの拡大構成模式図
【図３】図３は図１におけるＢの拡大構成模式図
【図４】図４は図１におけるＣの拡大構成模式図
【発明を実施するための形態】
【００１８】
図１〜４を参照し、本願発明のダイビング用素早く浮上可能な設備は、本体１０を含み、前記本体１０は動力空間２９を含み、前記動力空間２９の中には本願発明に動力を提供できる動力機構９０が設置され、前記動力空間２９の内部頂端壁にはモータ３０が固定的に設置され、前記モータ３０の頂端面には第一回転軸３１が固定的に設置され、前記第一回転軸３１には羽根３２が固定的に設置され、前記モータ３０の底端面には第二回転軸４７が固定的に設置され、前記動力空間２９の中には第一スライド溝１９が固定的に形成され、前記第一スライド溝１９の中には第一スライダ１７がスライド可能に設置され、前記第一スライド溝１９の頂端壁と前記モータ３０との間には外接ブロック２８が設置され、前記外接ブロック２８の中には第一開口溝２７が固定的に形成され、
前記動力空間２９の底端壁の中には反応空間３３が設置され、前記反応空間３３の中には気体を生成できる反応機構９１が設置され、前記反応空間３３の左右端には仕切りブロック１１が固定的に設置され、前記仕切りブロック１１の内側には第二スライド溝１６が固定的に形成され、前記第二スライド溝１６の中には第二スライダ１４がスライド可能に設置され、前記第二スライド溝１６の内側には前記第二スライダ１４の内側端面と接触する二酸化マンガンブロック１３がスライド可能に設置され、前記二酸化マンガンブロック１３の内側には仕切りシート１２が固定的に設置され、前記仕切りシート１２は前記二酸化マンガンブロック１３が前記反応空間３３に入ることを防止でき、
前記反応空間３３の底端壁には貯蔵空間３５が固定的に設置され、前記貯蔵空間３５の中にはカウンターウエイトを収容できる貯蔵機構９２が設置され、需要に応じて前記貯蔵機構９２はカウンターウエイトを降ろすこともでき、前記貯蔵空間３５の左右端壁の底端には支持ブロック５５が固定的に設置され、前記支持ブロック５５の中には第三回転軸５６が回転可能に設置され、前記第三回転軸５６には前記貯蔵空間３５を塞げる協働板５７が固定的に設置されている。
【００１９】
前記動力機構９０は前記動力空間２９を含み、前記動力空間２９の内部頂端壁には前記モータ３０が固定的に設置され、前記モータ３０の頂端面には前記第一回転軸３１が固定的に設置され、前記第一回転軸３１には前記羽根３２が固定的に設置され、前記モータ３０の底端面には前記第二回転軸４７が固定的に設置され、前記第二回転軸４７の底端壁には第三スライド溝４９が固定的に形成され、前記第三スライド溝４９の頂端には電磁石４８が固定的に設置され、前記動力空間２９の底端壁には上下方向に延在する第四回転軸３７が回転可能に設置され、前記第四回転軸３７には第四スライド溝５３が固定的に形成され、前記第四スライド溝５３の中には第一コンロッド５０がスライド可能に設置され、前記第一コンロッド５０は前記第三スライド溝４９の中に入ることができ、前記第一コンロッド５０と前記第四スライド溝５３の底端面とは第一ばね５４によって連結され、前記動力空間２９の中に位置している前記第四回転軸３７にはリール５１が固定的に設置され、前記動力空間２９の中には前記第一スライド溝１９が固定的に形成され、前記第一スライド溝１９の中には前記第一スライダ１７がスライド可能に設置され、前記第一スライド溝１９の頂端壁と前記モータ３０との間には前記外接ブロック２８が設置され、前記外接ブロック２８の中には前記第一開口溝２７が固定的に形成され、前記第一開口溝２７の中には第五回転軸２６が回転可能に設置され、前記第五回転軸２６には転向輪２５が固定的に設置され、前記第一スライダ１７と、前記リール５１と、前記転向輪２５とは第一糸２４によって連結され、
前記モータ３０を作動させ、前記モータ３０が前記第一回転軸３１を回転させることで前記羽根３２が回転し、本願発明を海へ下降させてダイビングをし、浮上するには手動で前記電磁石４８を作動させ、前記電磁石４８は磁力によって前記第一コンロッド５０を上方へスライドさせて前記第三スライド溝４９の中に入らせ、そして前記モータ３０が作動して前記第二回転軸４７を回転させ、前記第二回転軸４７が前記第一コンロッド５０によって前記第四回転軸３７を回転させ、前記第四回転軸３７が前記リール５１を回転させ、前記リール５１が前記第一糸２４によって前記転向輪２５を回転させ、前記第一スライダ１７が前記第一糸２４の牽引力によって上方へスライドする。
【００２０】
前記反応機構９１は前記反応空間３３を含み、前記反応空間３３の左右端には前記仕切りブロック１１が固定的に設置され、前記仕切りブロック１１の内側には前記第二スライド溝１６が固定的に形成され、前記第二スライド溝１６の中には前記第二スライダ１４がスライド可能に設置され、前記第二スライダ１４と前記第二スライド溝１６の外端面とは第二ばね１５によって連結され、前記第二スライド溝１６の内側には前記第二スライダ１４の内側端面と接触する前記二酸化マンガンブロック１３がスライド可能に設置され、前記二酸化マンガンブロック１３の内側には前記仕切りシート１２が固定的に設置され、前記仕切りシート１２は前記二酸化マンガンブロック１３が前記反応空間３３に入ることを防止でき、前記仕切りブロック１１の外側には第五スライド溝２２が固定的に形成され、前記第五スライド溝２２と前記第二スライド溝１６とは油圧管路１８によって連通され、前記第五スライド溝２２の中には第三スライダ２１がスライド可能に設置され、前記第三スライダ２１と前記第五スライド溝２２の内端面とは第三ばね２０によって連結され、前記反応空間３３の中には過酸化水素３４があり、前記反応空間３３の中に位置している前記第四回転軸３７には撹拌ブロック６２が固定的に設置され、前記撹拌ブロック６２の上側において前記第四回転軸３７には連通穴３８が固定的に設置され、前記第四回転軸３７の底端壁には前記連通穴３８が設置され、前記連通穴３８には第二開口溝４０が前記連通穴３８と連通になるように形成され、
前記第一スライダ１７が上方へスライドすることで前記第三スライダ２１を圧迫し、そして前記第三スライダ２１が内側へスライドし、前記油圧管路１８によって前記第二スライダ１４を内側へスライドさせることで前記二酸化マンガンブロック１３が前記仕切りシート１２を破って前記反応空間３３の中に入り、そして前記第四回転軸３７が回転して前記撹拌ブロック６２を回転させ、前記撹拌ブロック６２は前記反応空間３３の中にある前記過酸化水素３４を前記二酸化マンガンブロック１３と十分に接触させ、前記過酸化水素３４と前記二酸化マンガンブロック１３との接触で反応が発生して酸素を生成し、そして酸素は前記連通穴３８を介して前記第二開口溝４０に入る。
【００２１】
前記貯蔵機構９２は前記貯蔵空間３５を含み、前記貯蔵空間３５の左右端壁の底端には前記支持ブロック５５が固定的に設置され、前記支持ブロック５５の中には前記第三回転軸５６が回転可能に設置され、前記第三回転軸５６には前記貯蔵空間３５を塞げる前記協働板５７が固定的に設置され、前記貯蔵空間３５の左右端壁の底端にはスライドレール５９が固定的に設置され、前記スライドレール５９の底端には位置制限ブロック５８が固定的に設置され、前記協働板５７には前記スライドレール５９でスライドする弧状棒６０が固定的に設置され、前記弧状棒６０の頂端には協働ブロック６１が固定的に設置され、前記スライドレール５９の外側には経路選択穴６３が固定的に設置され、前記経路選択穴６３において前記協働ブロック６１と前記第一スライダ１７との間には第二糸２３が固定的に設置され、前記貯蔵空間３５の中にはカウンターウェイトブロック３６が設置され、前記貯蔵空間３５の頂端壁の中には圧縮エアバッグ４３が固定的に設置され、前記圧縮エアバッグ４３の底端面には引きブロック４４が固定的に設置され、前記引きブロック４４と前記カウンターウェイトブロック３６とは第三糸４５によって連結され、前記圧縮エアバッグ４３の中には気体入れブロック４１が固定的に設置され、前記気体入れブロック４１の中には気体入れ空間４２が設置され、前記気体入れブロック４１の頂端と前記気体入れ空間４２とは気体入れ管路３９によって連通され、
前記気体入れ管路３９は前記第二開口溝４０の中に伸びて前記連通穴３８を塞ぎ、前記第一スライダ１７が上方へスライドし、そして前記第二糸２３によって前記協働ブロック６１は自重で前記弧状棒６０を押し動かし、前記弧状棒６０の移動で前記協働板５７が時計回りに回転し、さらに前記貯蔵空間３５を開け、この時に前記カウンターウェイトブロック３６が前記貯蔵空間３５から落下し、前記第三糸４５によって前記引きブロック４４を引き動かし、前記引きブロック４４が前記圧縮エアバッグ４３を引き動かし、前記圧縮エアバッグ４３が下方へスライドすることで前記気体入れブロック４１を下方へスライドさせ、前記気体入れ管路３９を下方へスライドさせ、そして前記連通穴３８と前記気体入れ空間４２とが連動して前記気体入れ管路３９によって連通になり、前記引きブロック４４が前記圧縮エアバッグ４３を引き動かした後に自動で落下し、前記圧縮エアバッグ４３は酸素で満たされて膨張することで本願発明をひっくり返し、本願発明は膨張した前記圧縮エアバッグ４３と前記羽根３２とを利用して素早く浮上する。
【００２２】
本願発明全体の作動手順は以下の通りである。
１、 初期状態において、電磁石４８が作動ていなく、第一ばね５４の牽引力で第一コンロッド５０と第二回転軸４７とが接触していなく、第二ばね１５が第二スライダ１４を引くことで二酸化マンガンブロック１３が仕切りシート１２を破ることができなく、第三ばね２０で第三スライダ２１が外部へ伸び出て、
２、 モータ３０を作動させ、モータ３０が第一回転軸３１を回転させることで羽根３２が回転し、本願発明を海へ下降させてダイビングをし、浮上するには手動で電磁石４８を作動させ、電磁石４８は磁力によって第一コンロッド５０を上方へスライドさせて第三スライド溝４９の中に入らせ、そしてモータ３０が作動して第二回転軸４７を回転させ、第二回転軸４７が第一コンロッド５０によって第四回転軸３７を回転させ、第四回転軸３７がリール５１を回転させ、リール５１が第一糸２４によって転向輪２５を回転させ、第一スライダ１７が第一糸２４の牽引力によって上方へスライドし、
３、 第一スライダ１７が上方へスライドすることで第三スライダ２１を圧迫し、そして第三スライダ２１が内側へスライドし、油圧管路１８によって第二スライダ１４を内側へスライドさせることで二酸化マンガンブロック１３が仕切りシート１２を破って反応空間３３の中に入り、そして第四回転軸３７が回転して撹拌ブロック６２を回転させ、撹拌ブロック６２は反応空間３３の中にある過酸化水素３４を二酸化マンガンブロック１３と十分に接触させ、過酸化水素３４と二酸化マンガンブロック１３との接触で反応が発生して酸素を生成し、そして酸素は連通穴３８を介して第二開口溝４０に入り、本願発明は一体化度が高く、
４、 第一スライダ１７が上方へスライドし、そして第二糸２３によって協働ブロック６１は自重で弧状棒６０を押し動かし、弧状棒６０の移動で協働板５７が時計回りに回転し、さらに貯蔵空間３５を開け、この時にカウンターウェイトブロック３６が貯蔵空間３５から落下し、第三糸４５によって引きブロック４４を引き動かし、引きブロック４４が圧縮エアバッグ４３を引き動かし、圧縮エアバッグ４３が下方へスライドすることで気体入れブロック４１を下方へスライドさせ、気体入れ管路３９を下方へスライドさせ、そして連通穴３８と気体入れ空間４２とが連動して気体入れ管路３９によって連通になり、引きブロック４４が圧縮エアバッグ４３を引き動かした後に自動で落下し、圧縮エアバッグ４３は酸素で満たされて膨張し、本願発明は膨張した圧縮エアバッグ４３と羽根３２とを利用して素早く浮上し、本願発明は自動化レベルが高く、各機構が緊密に伝動でき、動力エネルギーの利用率が高い。
【００２３】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願はダイビング用素早く浮上可能な設備を開示した。
【解決手段】
本体を含み、前記本体は動力空間を含み、前記動力空間の中には本願発明に動力を提供できる動力機構が設置され、前記動力空間の内部頂端壁にはモータが固定的に設置され、前記モータの頂端面には第一回転軸が固定的に設置され、本願発明は過酸化水素と二酸化マンガンの混合により大量の酸素と水を生成し、緊急時にユーザーに緊急支援を提供できる。また、大量の気体が本願発明の中にあるエアバッグに入ってエアバッグを膨張させる。エアバッグと螺旋羽根との協働で本願発明を素早く水面へ浮上させ、そして本願発明の内部に貯蔵空間が設けられたため、カウンターウェイトや監視機器も搭載でき、それで機能が豊富になり、その他、本願発明は反応が機敏で、一体化度が高く、操作が簡単で安全である。
【選択図】図１【図１】
0006811925.tif 000002
【図２】
0006811925.tif 000003
【図３】
0006811925.tif 000004
【図４】
0006811925.tif 000005